(57)【要約】【課題】本願発明の目的は、工具の使用なしで、容易に設置され、固定され、且つ取り外されるベース部材及びカバーを有する配管又はケーブル管理システムを提供することである。【解決手段】カバーは、フィッティングベースに開放可能に固定される。フィッティングベースは、底部と、上縁部を有する側壁と、を有する。カバーは、ラッチ受容領域を有する上面と、前記上面の反対側の底面と、スライドラッチと、を含む。スライドラッチは、カバーのラッチ受容領域に位置付けられる。スライドラッチは、フィンガータブを有する第１の端部と、メイン本体部と、固定脚部を有する第２の端部と、を含む。閉鎖位置において、スライドラッチは、ケーブルフィッティングベースにカバーを固定する。【選択図】図１
2011062074.tif 000002
【特許請求の範囲】
【請求項１】
ケーブルフィッティングベースのためのカバーであって、
ラッチ受容領域を有する上面と、
前記上面に対して反対側の底面と、
前記ラッチ受容領域に位置付けられたスライドラッチであって、第１の端部、メイン本体部、及び第２の端部を有し、それによって前記ケーブルフィッティングベースに前記カバーを開放可能に固定する、スライドラッチと、
を備えることを特徴とする請求項１に記載のカバー。
【請求項２】
前記カバーは、前記カバーの剛性を増加させるための王冠状の輪郭を含むことを特徴とする請求項１に記載のカバー。
【請求項３】
前記カバーは、２つの同一の半体部材を含むことを特徴とする請求項１に記載のカバー。
【請求項４】
前記底面が、前記ケーブルフィッティングベースの縁部を受容するためのチャンネルをさらに備えることを特徴とする請求項１に記載のカバー。
【請求項５】
前記スライドラッチは、前記第１の端部から延在しているフィンガータブを有していることを特徴とする請求項１に記載のカバー。
【請求項６】
前記スライドラッチは、突出部を有し、前記ラッチ受容領域は、前記スライドラッチの位置を維持するために、前記突出部を受容するための複数の移動止めを含むことを特徴とする請求項１に記載のカバー。
【請求項７】
前記スライドラッチは、前記第２の端部から延在している固定脚部を有しており、それによって、前記固定脚部は、前記ケーブルフィッティングベースに前記カバーを固定することを特徴とする請求項１に記載のカバー。
【請求項８】
前記固定脚部は、下向きに延在している部材と、内側方向に延在している部材と、外側リブと、を含むことを特徴とする請求項８に記載のカバー。
【請求項９】
前記ラッチ受容領域は、凹所領域であることを特徴とする請求項１に記載のカバー。
【請求項１０】
前記ラッチ受容領域は、隆起領域であることを特徴とする請求項１に記載のカバー。
【請求項１１】
底部と、上縁部を有する側壁と、を有するフィッティングベースと、
ラッチ受容領域を有する上面と、前記上面の反対側の底面と、前記ラッチ受容領域に位置付けられたスライドラッチと、を有し、前記スライドラッチは、第１の端部、メイン本体部、及び第２の端部を有し、前記フィッティングベースに前記カバーを開放可能に固定する、カバーと、
を備えることを特徴とするケーブル管理システム。
【請求項１２】
前記カバーは、前記カバーの剛性を増加させるための王冠状の輪郭を含むことを特徴とする請求項１１に記載のケーブル管理システム。
【請求項１３】
前記カバーは、２つの同一の半体部材を含むことを特徴とする請求項１１に記載のケーブル管理システム。
【請求項１４】
前記カバーの前記底面が前記フィッティングベースの前記上縁部を受容するためのチャンネルをさらに備えることを特徴とする請求項１１に記載のケーブル管理システム。
【請求項１５】
前記スライドラッチは、前記第１の端部から延在しているフィンガータブを有していることを特徴とする請求項１１に記載のケーブル管理システム。
【請求項１６】
前記スライドラッチは、突出部を有し、前記ラッチ受容領域は、前記スライドラッチの位置を維持するために、前記突出部を受容するための複数の移動止めを含むことを特徴とする請求項１１に記載のケーブル管理システム。
【請求項１７】
前記スライドラッチは、前記第２の端部から延在している固定脚部を有していることを特徴とする請求項１１に記載のケーブル管理システム。
【請求項１８】
前記固定脚部は、下向きに延在している部材と、内側方向に延在している部材と、外側リブと、を含み、前記フィッティングベースは、前記上縁部から延在しているリップを含み、それによって、前記固定脚部の前記内側方向に延在している部材は、前記フィッティングベースに前記カバーを固定するために、前記リップの下に位置付けられることを特徴とする請求項１７に記載のケーブル管理システム。
【請求項１９】
前記ラッチ受容領域は、凹所領域であることを特徴とする請求項１１に記載のケーブル管理システム。
【請求項２０】
前記ラッチ受容領域は、隆起領域であることを特徴とする請求項１１に記載のケーブル管理システム。
【発明の詳細な説明】
【技術分野】
【０００１】
本願発明は、ケーブルフィッティングベース（cable fitting base）のためのカバーに関し、特にケーブルフィッティングベース上にカバーを開放可能に固定するラッチに関する。
【背景技術】
【０００２】
配管ダクトシステムは、データケーブル、ヴォイスケーブル、ビデオケーブル、及び／又は光ファイバーケーブルを配線し、保護し、且つ隠すために使用される。頭上の配管システムは、特別注文の設置を可能にし、ネットワークキャビネット装置上に提供され、再設置、修理、又は追加の装置の設置のための迅速なアクセスを可能にする。そのようなシステムは、ダクト連結器によって一緒に固定される、直線区画、９０°のコーナーフィッティング（corner fitting）、４５°のコーナーフィッティング、Ｔ字型のフィッティング、４方向交差（Ｘ）フィッティング、及び同様のものを含んでいる、配管又はダクトの様々な区画から形成される。
【０００３】
典型的な配管システムは、ベース部材及びカバーで構成されているトラフ又はフィッティングから構成される。カバーは、ヒンジ付きカバー又はスナップオンカバーとされる場合がある。操作中において、スナップオンカバーは、ベース部材内のケーブル受容空洞へのアクセスを可能にするために、取り外されなければならない。様々な配管区間で構成されている長い配管が必要とされる場合、全てのカバーを取り外し、設置後にそれらを戻すことは、困難であり、及び／又は多大な時間を必要とする場合がある。
【発明の概要】
【発明が解決しようとする課題】
【０００４】
工具の使用なしで、容易に設置され、固定され、且つ取り外されるベース部材及びカバーを有する配管又はケーブル管理システムを有することは、所望される。
【課題を解決するための手段】
【０００５】
フィッティングベース及びカバーを有するケーブル管理システムが記載される。フィッティングベースは、底部と、上縁部を有する側壁と、を含む。カバーは、ラッチ受容領域を有する上面と、底面と、スライドラッチと、を含む。スライドラッチは、ラッチ受容領域に位置付けられる。スライドラッチは、フィンガータブを有する第１の端部と、メイン本体部と、固定脚部を有する第２の端部と、を有する。スライドラッチは、フィッティングベースにカバーを開放可能に固定する。
【図面の簡単な説明】
【０００６】
【図１】４方向クロスフィッティングベース上に部分的に設置された本願発明のカバーの斜視図である。
【図２】図１に図示した単一の半体カバーの上面斜視図である。
【図３】図２に図示された単一の半体カバーの底面斜視図である。
【図４】開口位置において、図１に図示されたカバーのスライドラッチの１つの上面斜視図である。
【図５】開口位置において、図４に図示されたスライドラッチの底面斜視図である。
【図６】開口位置において、図４に図示されたスライドラッチの断面図である。
【図７】閉鎖位置において、図１に図示されたカバーのスライドラッチの１つの上面斜視図である。
【図８】閉鎖位置において、図７に図示されたスライドラッチの底面斜視図である。
【図９】閉鎖位置において、図７に図示されたスライドラッチの断面図である。
【図１０】代替的なラッチ受容領域に位置付けられた、開口位置において、カバーのスライドラッチの１つの上面斜視図である。
【図１１】開口位置において、図１０に図示されたスライドラッチの底面斜視図である。
【図１２】代替的な受容領域に位置付けられた、閉鎖位置において、カバーのスライドラッチの１つの上面斜視図である。
【図１３】代替的なラッチ受容領域に位置付けられた、閉鎖位置において、カバーのスライドラッチの１つの上面斜視図である。
【図１４】閉鎖位置において、図１３に図示されたスライドラッチの底面斜視図である。
【図１５】閉鎖位置において、図１３に図示されたスライドラッチの断面図である。
【図１６】狭い出口を有する４方向クロスフィッティングベースに設置された本願発明の代替的なカバーの斜視図である。
【図１７】狭い出口を有するＴ字型のフィッティングベースに設置された本願発明の代替的なカバーの斜視図である。
【図１８】水平方向４５°のフィッティングベースに設置された本願発明の代替的なカバーの斜視図である。
【発明を実施するための形態】
【０００７】
図１は、４方向クロスフィッティングベース（four-way cross fitting base）１００に部分的に設置された本願発明のカバー２０の斜視図を図示する。フィッティングベース１００は、底部１０２と、チャンネル又は経路１１０を形成する側壁１０４と、を含む。フィッティングベースの側壁１０４は、上縁部１０６を含む。以下に議論されるように、上縁部１０６は、側壁１０４から離れて延在しているリップ１０８を含む。
【０００８】
４方向クロスフィッティングベース１００の上に設置されたカバー２０は、２つの同一のカバー半体２２から形成される。分割カバーの設計は、取り扱いを容易にし、且つフィッティングベース１００の上のカバー２０の設置を容易にする。図１は、カバーの左側の半体が完全に設置され、カバーの右側の半体がフィッティングベース上に設置されるように位置付けられることを図示する。
【０００９】
図１及び図２に図示されるように、カバー半体２２は、各カバー半体２２の強度及び剛性を増加させるために、王冠状の輪郭（crowned profile）を有する。
【００１０】
図２及び図３は、同一のカバー半体２２のうちの１つを図示する。図２は、カバー半体２２の上面２４を図示する。各カバー半体２２は、カバー半体２２の外側端部２６で位置付けられた３つのスライドラッチ６０を含む。カバー半体２２の外側端部２６は、下向きに延在している縁部２８を含む。下向きに延在している縁部２８は、スライドラッチ６０に隣接して位置付けられる。カバー半体２２が３つのスライドラッチとともに図示されるけれども、カバー上のスライドラッチの数が、カバー及びフィッティングベースの寸法に応じて変化することができることは熟慮される。
【００１１】
図３は、カバー半体２２の底面３０又は下側を図示する。カバー半体２２は、カバー半体２２が撓むことを防ぐために、下側に沿って位置付けられた複数のリブ３２を含む。カバー半体２２はまた、複数のリブ３４を含む。複数のリブ３４は、各スライドラッチ６０に隣接して位置付けられ、それによって複数のリブ３４がカバー半体２２の外側端部２６及び下向きに延在している縁部２８から間隔をあけて配置される。カバー半体２２の下向きに延在している縁部２８及び複数のリブ３４は、フィッティングベース１００の一部を受容するために、それらの間でチャンネル３６を画定する。下向きに延在している縁部２８、複数のリブ３４、及びチャンネル３６は、フィッティングベース１００の上にカバー半体２２の適切な配置を確実する適合された特徴を提供する。
【００１２】
図４〜図９は、本願発明のカバー２０上に設置されたスライドラッチ６０の１つを図示する。カバーは、スライドラッチ６０を維持する、凹所領域４０などの複数のラッチ受容領域を含む。図４〜図６は、カバー２０の上面と、延在された開口位置における凹所領域４０内に位置付けられたスライドラッチ６０とを図示する。
【００１３】
スライドラッチ６０は、第１の端部６２と、メイン本体部６４と、第２の端部６６と、を含む。スライドラッチ６０の第１の端部６２は、上向きに延在しているフィンガータブ６８を含む。該フィンガータブ６８はまた、スライドラッチ６０が係合され、開口位置から閉鎖位置へ容易に移動させることを可能にする。スライドラッチ６０の第２の端部６６は、固定脚部７２を含む。図５及び図６に図示されるように、各固定脚部７２は、下向きに延在している部材７４と、内側に延在している部材７６と、強度のための外側リブ７８と、を含む。固定脚部７２の内側に延在している部材７６は、メイン本体部６４から離隔して配置され、スライドラッチ６０の第２の端部６６に近接してメイン本体部６４の下に位置付けられる。
【００１４】
図６に図示されるように、カバー２０はまた、カバー２０の各凹所領域４０に形成される移動止め４２ａ，４２ｂを含む。各スライドラッチ６０のメイン本体部６４の底面は、突出部７０を備え、該突出部７０は、カバー２０における移動止め４２ａ，４２ｂを係合するように設計される。移動止め４２ａ，４２ｂ及び突出部７０は、所望されるように、開口位置又は閉鎖位置においてスライドラッチ６０を保持する。スライドラッチ６０が開口位置にある場合に、突出部７０は、第１の移動止め４２ａ内に配置される。
【００１５】
図６は、フィッティングベース１００の上縁部１０６から延在しているリップ１０８を図示する。リップ１０８は、フィッティングベース１００の側壁１０４から離隔して外側方向に延在する。スライドラッチ６０が開口位置にある場合に、固定脚部７２は、リップ１０８から離隔している。その結果として、フィッティングベース１００からカバー２０を取り外すために、フィッティングベース１００のリップ１０８とスライドラッチ６０の固定脚部７２の内側に延在している部材７６との間に十分な間隙が存在する。
【００１６】
図７〜図９は、閉鎖位置におけるスライドラッチ６０を図示する。閉鎖位置において、スライドラッチ６０は、カバー２０の中央部に向けて内側方向に押し込まれ、それによってスライドラッチ６０が凹所領域４０内に位置付けられる。図９に図示されるように、スライドラッチ６０が閉鎖位置へスライドされると、突出部７０が第２の移動止め４２ｂ内に配置され、固定脚部７２の内側方向に延在している部材７６が、フィッティングベース１００にカバー２０を固定するために、リップ１０８の下に位置付けられる。
【００１７】
図１０〜図１５は、隆起領域８０などの代替的なラッチ受容領域に設置された本願発明のスライドラッチ６０の１つを図示する。図１０〜図１２は、カバーの上面と、延在位置において、隆起領域８０で位置付けられたスライドラッチ６０とを図示する。
【００１８】
図１２に図示されるように、隆起領域８０はまた、移動止め８２ａ、８２ｂを含む。上述されるように、各スライドラッチ６０のメイン本体部６４の底面は、突出部７０を含む。突出部７０は、隆起領域８０において移動止め８２ａ，８２ｂを係合するように設計される。移動止め８２ａ、８２ｂ及び突出部７０は、所望されるように、開口位置又は閉鎖位置においてスライドラッチ６０を保持する。スライドラッチ６０が開口位置にある場合に、突出部７０が第１の移動止め８２ａに固定される。
【００１９】
図１３〜図１５は、閉鎖位置において隆起領域８０に位置付けられたスライドラッチ６０を図示する。閉鎖位置において、スライドラッチ６０は、カバー２０の中央部に向けて内側方向に押し込まれる。図１５に図示されるように、スライドラッチ６０が閉鎖位置へスライドされると、突出部７０が第２の移動止め８２ｂ内に配置され、固定脚部７２の内側方向に延在している部材７６は、フィッティングベース１００にカバー２０を固定するために、リップ１０８の下に位置付けられる。
【００２０】
図１６〜図１８は、ケーブルルーティングシステムにおける複数のフィッティング２００、３００、及び４００の上に設置された本願発明のカバーの代替的な実施形態を図示する。
【００２１】
図１６は、狭い出口を有する４方向クロスフィッティングベース２００上に装着するために設計された本願発明のカバーの代替的な実施形態を図示する。カバー２２０はまた、２つの同一のカバー半体２２２とともに設計される。各カバー半体２２２は、上述されるように、フィッティングベース２００にカバー２２０を固定させるための３つのスライドラッチ２６０を含む。
【００２２】
図１７は、狭い出口を有するＴ字型のフィッティングベース３００上に装着するために設計された本願発明のカバーの代替的な実施形態を図示する。Ｔ字型のフィッティングベース３００のためのカバー３２０は、１つのスライドラッチ３６０がカバー３２０の各角に隣接して位置付けられる状態で、４つのスライドラッチ３６０を含む。
【００２３】
図１８は、水平方向４５°のフィッティングベース４００上に装着するために設計された本願発明のカバーの代替的な実施形態を図示する。水平方向４５°のフィッティングベース４００のためのカバー４２０は、カバー４２０の端部に隣接して位置付けられた３つのスライドラッチ４６０を含む。
【００２４】
本願発明のスライドラッチを有するカバーは、所望されるように、ケーブルルーティングシステムにおける多様なフィッティングベース上に、設置する、固定する、及び取り外すことを容易にする。
【００２５】
さらに、本願発明の特定の好ましい実施形態が示され、且つ記載されるとしても、変形及び改良が本願発明の教示から逸脱することなく実施される可能性があることは、当業者に明らかであろう。前述の説明及び添付した図面に記載された事項は、限定としてではなく、図示の目的のみによって提示される。本願発明の実際の技術的範囲は、先行技術に基づいてそれらの適した視点で見た場合に、以下の特許請求の範囲で規定されるように意図される。
【符号の説明】
【００２６】
２０  カバー
２２  カバー半体
２４  上面
２６  外側端部
２８  下向きに延在している縁部
３０  底面
３２  リブ
３４  リブ
３６  チャンネル
４０  凹所領域
４２ａ  第１の移動止め
４２ｂ  第２の移動止め
６０  スライドラッチ
６２  第１の端部
６４  メイン本体部
６６  第２の端部
６８  フィンガータブ
７２  固定脚部
７４  下向きに延在している部材
７６  内側に延在している部材
７８  外側リブ
８０  隆起領域
８２ａ  第１の移動止め
８２ｂ  第２の移動止め
１００  ４方向クロスフィッティングベース
１０２  底部
１０４  側壁
１０６  上縁部
１０８  リップ
１１０  チャンネル又は経路
２００  ４方向クロスフィッティングベース
２２０  カバー
２２２  カバー半体
２６０  スライドラッチ
３００  Ｔ字型のフィッティングベース
３２０  カバー
３４０  スライドラッチ
４００  水平方向４５°のフィッティングベース
４２０  カバー
４６０  スライドラッチ
【図１】
2011062074.tif 000003
【図２】
2011062074.tif 000004
【図３】
2011062074.tif 000005
【図４】
2011062074.tif 000006
【図５】
2011062074.tif 000007
【図６】
2011062074.tif 000008
【図７】
2011062074.tif 000009
【図８】
2011062074.tif 000010
【図９】
2011062074.tif 000011
【図１０】
2011062074.tif 000012
【図１１】
2011062074.tif 000013
【図１２】
2011062074.tif 000014
【図１３】
2011062074.tif 000015
【図１４】
2011062074.tif 000016
【図１５】
2011062074.tif 000017
【図１６】
2011062074.tif 000018
【図１７】
2011062074.tif 000019
【図１８】
2011062074.tif 000020
【外国語明細書】
2011062074.tif 000021
2011062074.tif 000022
2011062074.tif 000023
2011062074.tif 000024
2011062074.tif 000025
2011062074.tif 000026
2011062074.tif 000027
2011062074.tif 000028
2011062074.tif 000029
2011062074.tif 000030
2011062074.tif 000031
2011062074.tif 000032
2011062074.tif 000033
2011062074.tif 000034
2011062074.tif 000035
2011062074.tif 000036
2011062074.tif 000037
2011062074.tif 000038
2011062074.tif 000039
2011062074.tif 000040
2011062074.tif 000041
2011062074.tif 000042
2011062074.tif 000043
2011062074.tif 000044
2011062074.tif 000045
2011062074.tif 000046
2011062074.tif 000047
2011062074.tif 000048
2011062074.tif 000049
2011062074.tif 000050
2011062074.tif 000051
2011062074.tif 000052